(57)【要約】【課題】伝送用データをフォーマットする方法および装置【解決手段】  様々なタイプのデータを様々なレートで伝送用独自構造のフォーマットに構成する方法および装置。伝送フォーマットのためのデータは、ボコーダ（１４）によって供給された音声データまたは異なるタイプの二次トラヒックでもよい。所定の時間周期のフレームに構造化されたデータはマイクロプロセッサ（１８）によって伝送される。データフレームは、データにしたがっていくつかのデータレートの１つになるように構造化される。ボコーダデータは、ボコーダ（１４）によっていくつかのレートの１つで供給され、所定のフォーマットにしたがってフレームで構造化される。フレームは、非ボコーダデータを備えるボコーダデータを共有しながら、最速のフレームデータレートになるようにフォーマットされてもよい。異なるタイプの非ボコーダデータもまた、最速のフレームデータレートになるように構造化されてもよい。付加制御データはデータフレームに供給され、送信および受信時の回復の様々な側面に役立ててもよい。【選択図】    図１
2004328784.tif 000002
【特許請求の範囲】
【請求項１】
通信システムにおいて、１組のレート設定の第１の所定のデ
ータレート設定に含まれるデータレートで第１のデータフレームを伝送する方法
であって、
前記データフレームを受信する段階と、
１組のパリティチェックビットおよび末尾ビットを前記第１のデータフレ
ームのフレームレートにしたがって生成する段階と、
前記第１のデータフレーム、前記パリティチェックビットおよび前記末尾
ビットから導出された拡張データフレームを符号化する段階であって、前記符号
化の符号化レートは前記第１のデータフレームの前記第１の所定のデータレート
設定にしたがって決定される、拡張データフレームを符号化する段階と、及び
前記符号化された拡張データフレームを伝送する段階と、
を具備する、データフレームを伝送する方法。
【請求項２】
請求項１に記載の方法において、さらに、第２の所定のデ
ータレート設定に含まれる選択されたデータレートで第２のデータフレームを伝
送する段階を具備し、前記第１の所定のデータレート設定および前記第２の所定
のデータレート設定の対応するデータレート間に乗法係数があることを特徴とす
るデータフレームを伝送する方法。
【請求項３】
請求項２に記載の方法において、前記第１の所定のデータ
レート設定および前記第２の所定のデータレート設定に関連する符号化レートは
、前記乗法係数に反比例する符号化係数によって関係づけられることを特徴とす
るデータフレームを伝送する方法。
【請求項４】
通信システムにおいて、第１の所定のデータレート設定に
含まれる所定のデータレートで第１のデータフレームを伝送する方法であって、
前記第１のデータフレームおよび前記第１のデータフレームに関連するフ
レームレート表示を受信する段階と、
前記フレームレート表示に対応する所定のフォーマットにしたがって前記
第１のデータフレームをフォーマットすることによってフォーマットされたデー
タフレームを生成する段階と、
前記フォーマットされたデータフレームを符号化する段階と、及び
前記符号化・フォーマットされたデータフレームを伝送する段階と、
を具備する、データフレームを伝送する方法。
【請求項５】
通信システムにおいて、第１および第２のデータフレーム
をそれぞれ第１および第２のデータレートで伝送する方法であって、前記第１お
よび第２のデータレートはそれぞれ第１および第２の所定のデータレート設定に
含まれる、データフレームを伝送する方法であって、
前記第１および第２のデータフレームと、前記第１および第２のデータフ
レームにそれぞれ関連する第１および第２のフレームレート表示とを受信する段
階と、
前記第１および第２のフレームレート表示にそれぞれ対応する第１および
第２の所定のフォーマットにしたがって前記第１および第２のデータフレームを
フォーマットすることによって第１および第２のフォーマットされたデータフレ
ームを生成する段階と、
前記第１および第２のフォーマットされたデータフレームを符号化する段
階と、及び
前記第１および第２の符号化・フォーマットされたデータフレームを伝送
する段階と、
を具備する、データフレームを伝送する方法。
【請求項６】
通信システムにおいて、伝送方法であって、
第１のタイプのトラヒックチャネルデータを含む第１のデータフレームを
供給する段階と、
所定のフォーマットのフォーマットされたデータフレームを生成する段階
であって、前記フォーマットされたデータフレームは、消去表示ビットと、混合
モードビットと、１つ以上のフレームモードビットと、前記第１のタイプのトラ
ヒックチャネルデータの複数のビットと、１つ以上のフレーム品質表示ビットと
、１つ以上の末尾ビットとを順に含む、フォーマットされたデータフレームを生
成する段階と、
前記フォーマットされたデータフレームを符号化する段階と、及び
前記符号化・フォーマットされたデータフレームを伝送する段階と、
を具備する伝送方法において、
さらに、前記フォーマットされたデータフレーム内に、前記第１のタイプのトラヒックチャネルデータの複数のビットと前記１つ以上のフレーム品質表示ビットとの間の前記第２のタイプのトラヒックチャネルデータの複数のビットを含む段階を具備する伝送方法。
【請求項７】
請求項６に記載の方法において、さらに、前記フォーマットされたデータフレーム内に、前記消去表示ビットと前記混合モードビットの間の予約ビットを含む段階を具備する伝送方法。
【発明の詳細な説明】
【発明の詳細な説明】
【０００１】
【発明の属する技術分野】
【０００２】
本発明は、伝送用データ構成に関する。特に、本発明は、伝送用ボコーダデー
タ、非ボコーダデータおよびシグナリングデータをフォーマットする新規の改良
された方法および装置に関する。
【従来の技術】
【０００３】
デイジタル通信の分野において、伝送用ディジタルデータの様々な配列が用い
られる。データビットは、通信媒体を通じて送信するために通常用いられるフォ
ーマットにしたがって構成される。
【発明の開示】
【発明の概要】
【０００４】
したがって、本発明の目的は、様々なタイプのデータの通信を容易にし、様々
なレートのデータを構造化された形式で容易に通信するデータフォーマットを提
供することである。
【０００５】
本発明は、伝送媒体を通じて通信するためのディジタルデータをフォーマット
する新規で改良された方法およびシステムである。
【０００６】
通信システムにおいて、ユーザ間でデータの全通信を可能にするデータフォー
マットを用いることが重要である。符号分割多重アクセス（ＣＤＭＡ）のような
通信システムにおいて、様々なタイプのデータを様々なレートで通信するのが望
ましく、所定の構造内部で最大のフレキシビリティを可能にするデータフォーマ
ットを選択しなければならない。さらに、資源を最大化するため、異なるタイプ
のデータをともに構造化できるフォーマットの共有を可能にすることが望ましい
。このような状況において、対応するタイプおよびレートに応じてデータが容易
に抽出されるようにデータを構造化することが必要である。
【０００７】
本発明に係る方法および装置は、様々なタイプで様々なレートのデータを伝送
するため独自の構造のフォーマットに整えるために提供される。データはボコー
ダデータまたは様々なタイプの非ボコーダデータとして供給される。データは所
定の伝送時間のフレームに構造化される。データフレームは、データに応じて、
いくつかのデータレートの１つになるように構造化される。ボコーダデータは、
所定のフォーマットにしたがって、いくつかのデータレートの１つで供給されフ
レーム内で構造化される。フレームは，最高のフレームデータレートであるよう
に，非ボコーダデータとボコーダデータを共有することによりフオーマットされ
る。また，非ボコーダデータは最高のフレームレートになるように構造化されて
もよい。付加制御データはデータフレーム内で供給され、送信および受信時の回
復の様々な側面を支持してもよい。
【０００８】
本発明の第１の観点により、通信システムにおいて、データフレームを１組の
レート設定の所定のデータレート設定のデータレートで伝送する方法であって，
前記データフレームを受信する段階と；
１組のパリティチェックビットおよび末尾ビットを前記データフレームの
前記データレート設定にしたがって生成する段階と；  
前記データフレームを符号化する段階であって，前記符号化の符号化レー
トは前記データフレームの前記データレート設定にしたがって決定される，前記
データフレームを符号化する段階と；及び
前記符号化されたデータフレームを伝送する段階と；
を具備する，データフレームを伝送する方法、が提供される。
【０００９】
上記伝送する方法において、レート設定１のレートとレート設定２のレートと
の間に乗法係数があることが好ましい。
【００１０】
上記伝送する方法において、レート設定２の前記符号化レートは前記乗法係数
に反比例することが好ましい。
【発明の実施の形態】
【００１１】
本発明の特徴、目的および利点は、図面を参照した以下の詳細な説明からより
明らかになるであろう。図面において、同様の参照記号は図中の対応部分を示す
。
【００１２】
図面を参照すると、図1 はＣＤＭＡ移動局のトランシーバまたはＰＣＮ送受器
の送信部１０の一実施の形態を示す。ＣＤＭＡセルラ通信システムにおいて、順
方向ＣＤＭＡチャネルを用いて、情報をセル基地局から移動局に送信する。反対
に、逆方向ＣＤＭＡチャネルを用いて、情報を移動局からセル基地局に送信する
。移動局からの信号の通信はアクセスチャネル通信またはトラヒックチャネル通
信の形式を取る特徴がある。アクセスチャネルは、発呼、ページャ(pages) に対
する応答および登録のような短いシグナリングメッセージに用いられる。トラヒ
ックチャネルを用いて、（１）一次トラヒック（通常、ユーザの音声を含む）、
または（２）二次トラヒック（通常、ユーザデータ）、または（３）シグナリン
グトラヒック（例えば、コマンドおよび制御信号）、または（４）一次トラヒッ
クと二次トラヒックの組み合わせ、または（５）一次トラヒックとシグナリング
トラヒックの組み合わせと通信を行う。
【００１３】
送信部１０によって、データを９．６ｋｂｐｓ、４．８ｋｂｐｓ、２．４ｋｂ
ｐｓまたは１．２ｋｂｐｓのデータレートで逆方向ＣＤＭＡチャネルで送信する
ことができる。逆方向トラヒックチャネルによる送信はこれらのデータレートの
いずれのレートで行ってもよく、一方、アクセスチャネルによる送信は４．８ｋ
ｂｐｓのデータレートで行われる。逆方向トラヒックチャネルによる送信デュー
ティサイクルは送信データレートによって変動する。特に、各レートごとの送信
デューティサイクルは表Ｉに示される。送信のためのデューティサイクルがデー
タレートに比例して変動するにつれて、実バースト送信レートは２８，８００コ
ード記号／秒に固定される。６つのコード記号が送信のために６４個のウォルシ
ュ記号の１つとして変調されるので、ウォルシュ記号の送信レートは４，８００
ウォルシュ記号／秒に固定され、３０７．２ｋｃｐｓのウォルシュチップレート
に固定される。
【００１４】
逆方向ＣＤＭＡチャネルで送信されるすべてのデータは、送信される前に、６
４アレイ変調によって畳み込み符号化、ブロックインタリーブ、変調およびダイ
レクトシーケンスＰＮ拡散が行われる。さらに、表Ｉは、逆方向トラヒックチャ
ネルにおける様々な送信レートに対するデータおよび記号の関係およびレートを
示す。数秘学(numerology)は、送信レートが４．８ｋｂｐｓに固定されている場
合を除くアクセスチャネルにおいて同一であり、デューティサイクルは１００％
である。以下に示すように、逆方向ＣＤＭＡチャネルで送信されるビットは、そ
れぞれ、１／３コードのレートを用いて畳み込み符号化される。したがって、コ
ード記号レートは、常に、データレートの３倍である。ダイレクトシーケンス拡
散関数のレートは１．２２８８ＭＨｚに固定され、各ウォルシュチップは正確に
４つのＰＮチップによって拡散される。
【表１】
2004328784.tif 000003
【００１５】
送信部１０は、一次トラヒックが存在するモードで機能する場合、音声および
／または暗騒音のような音響信号を送信媒体でディジタル信号として通信する。
【００１６】
音響信号のディジタル通信を容易にするため、このような信号は、公知の技術に
よってサンプリングされディジタル化される。例えば、図１において、音声はマ
イクロホン１２によってアナログ信号に変換され、次に、コーデック１４によっ
てディジタル信号に変換される。コーデック１４は、通常、標準的な８ビット／
μ法（μｌａｗ）のフォーマットを用いてＡＤ変換処理を行う。代替として、ア
ナログ信号は、均一なパルス符号変調（ＰＣＭ）フォーマットのディジタル形式
に直接変換されてもよい。本実施の形態において、コーデック１４は８ｋＨｚの
サンプリングを用い、８ビットのサンプルをサンプリングレートで出力し、６４
ｋｂｐｓのデータレートを実現する。
【００１７】
８ビットのサンプルはコーデック１４からボコーダ１６に出力され、ボコーダ
１６でμ法／均一符号変換処理が行われる。ボコーダ１６において、サンプルは
入力データフレームに構造化され、各フレームは所定数のサンプルからなる。ボ
コーダ１６の好適な実施例において、各フレームは１６０個のサンプル、または
８ｋＨｚのサンプリングレートの２０ｍｓｅｃの音声からなる。他のサンプリン
グレートおよびフレームサイズを用いてもよいことは理解されるであろう。音声
サンプルからなる各フレームは、ボコーダ１６によって対応するデータパケット
にフォーマットされた結果生じるパラメータデータを用いて可変レート符号化さ
れる。次に、ボコーダのデータパケットは、送信フォーマットを行うため、マイ
クロプロセッサ１８および関連する回路に出力される。マイクロプロセッサ１８
は、一般に、公知のように、プログラム命令メモリ、データメモリおよび適当な
インタフェースおよび関連回路とともに内蔵されたプログラム命令を含む。
【００１８】
ボコーダ１６の好適な実施例は符号駆動線形予測（Code Excited Linear Pred
ictive）（ＣＥＬＰ）コーディング技術の形式を用い、コーディングされた音声
データにおいて可変レートを供給する。線形予測コーダ（ＬＰＣ）による分析は
定数のサンプルに対して行われ、ピッチおよびコードブックの探索は、送信レー
トによって数が変化するサンプルに対して行われる。このタイプの可変レートボ
コーダは、特許係争中の米国特許出願番号０８／００４，４８４号（１９９３年
１月１４日出願）にさらに詳細に記載されている。なお、この出願は、現在は破
棄されている米国特許出願番号０７／７１３，６６１（１９９１年６月１１日出
願）の係属出願であり、本願の譲り請け人に譲渡され、本明細書に引用して組み
込まれる。ボコーダ１６は特定用途向け集積回路（ＡＳＩＣ）またはディジタル
信号処理装置で用いてもよい。
【００１９】
上記の可変レートボコーダにおいて、音声分析フレームの長さは２０ｍｓｅｃ
であり、これは、抽出パラメータがバーストにつき５０回／秒の割合でマイクロ
プロセッサ１８に出力されることを示す。さらに、データ出力レートは、およそ
、８ｋｂｐｓから４ｋｂｐｓ、２ｋｂｐｓ、１ｋｂｐｓへと変動する。
【００２０】
フルレート（レート１とも言う）の場合、ボコーダとマイクロプロセッサ間の
データ伝送レートは８．５５ｋｂｐｓである。フルレートデータの場合、パラメ
ータは各フレームごとに符号化され、１６０ビットで示される。また、フルレー
トデータフレームは１１ビットのパリティチェックを含むので、その結果、フル
レートフレームは全部で１７１ビットからなる。フルレートデータフレームにお
いて、パリティチェックビットを持たない場合、ボコーダとマイクロプロセッサ
間の伝送レートは８ｋｂｐｓになる。
【００２１】
ハーフレート（レート１／２とも言う）の場合、ボコーダとマイクロプロセッ
サ間のデータ伝送レートは、８０ビットを用いる各フレームごとに符号化された
パラメータで４ｋｂｐｓのレートである。クォータレート（レート１／４とも言
う）の場合、ボコーダとマイクロプロセッサ間のデータ伝送レートは、４０ビッ
トを用いる各フレームごとに符号化されたパラメータで２ｋｂｐｓのレートであ
る。エイスレート（レート１／８とも言う）の場合、ボコーダとマイクロプロセ
ッサ間のデータ伝送レートは、１６ビットを用いる各フレームごとに符号化され
たパラメータで若干１ｋｂｐｓ未満のレートである。
【００２２】
さらに、ボコーダとマイクロプロセッサ間のフレームに送信される情報はない
。このようなフレームタイプはブランクフレームと呼ばれ、シグナリングデータ
または他の非ボコーダデータのために用いられる。
【００２３】
次に、ボコーダデータパケットはマイクロプロセッサ１８およびＣＲＣ及び末
尾ビット生成器２０に出力され、伝送フォーマットを完了する。マイクロプロセ
ッサ１８は、２０ｍｓｅｃ毎にパラメータデータパケットを受信するとともに、
音声サンプルフレームが符号化されたレートのレート表示を受信する。また、マ
イクロプロセッサ１８は、二次トラヒックデータ入力が存在する場合、二次トラ
ヒックデータ入力を受信し、生成器２０に出力する。また、マイクロプロセッサ
１８内でシグナリングデータを生成し、生成器２０に出力する。データが一次ト
ラヒックデータ、二次トラヒックデータ、シグナリングトラヒックデータのいず
れであろうと、存在すれば、２０ｍｓｅｃフレームごとにマイクロプロセッサ１
８から生成器２０に出力される。
【００２４】
生成器２０は、すべてのフルレートフレームおよびハーフレートフレームの終
わりに、１組のパリティチェックビット、フレーム品質表示ビットまたは巡回冗
長検査（ＣＲＣ）ビットを生成するとともに付加し、これらのビットは受信器で
フレーム品質表示として用いられる。フルレートフレームの場合、データがフル
レートの一次トラヒック、二次トラヒックまたはシグナリングトラヒック、ある
いはハーフレートの一次トラヒックおよび二次トラヒックの組み合わせ、あるい
は一次トラヒックおよびシグナリングトラヒックの組み合わせに関わらず、生成
器２０は、第１の多項式にしたがって１組のフレーム品質表示を生成するのが好
ましい。ハーフレートデータフレームの場合もまた、生成器２０は、第２の多項
式にしたがって１組のフレーム品質表示を生成する。さらに、生成器２０は、す
べてのフレームレートに対して１組のエンコーダ末尾ビットを生成し、フレーム
品質表示ビットが存在する場合、末尾ビットはフレーム品質表示ビットに続き、
存在しない場合、末尾ビットがフレームの最後になる。マイクロプロセッサ１８
および生成器２０の動作について、さらに詳細に図３，図４，図５及び図６を参
照して以下に説明する。
【００２５】
９．６ｋｂｐｓのレートで生成器２０から供給された逆方向トラヒックチャネ
ルフレームは、長さ１９２ビットで２０ｍｓｅｃのフレームに及ぶ。これらのフ
レームは、図２ａ〜図２ｅおよび図２ｉ〜図２ｌに示されるように、１つの混合
モードビット、もし存在するなら補助フォーマットビット、メッセージビット、
１２ビットのフレーム品質表示、８ビットの末尾ビットからなる。混合モードビ
ットは、メッセージビットが一次トラヒック情報のみであるフレームにあるとき
、「０」に設定される。混合モードビットが「０」の場合、フレームは混合モー
ドビット、１７１ビットの一次トラヒックビット、１２ビットのフレーム品質表
示ビットおよび８ビットの末尾ビットからなる。
【００２６】
混合モードビットは、二次トラヒックまたはシグナリングトラヒックを含むフ
レームに対して「１」に設定される。混合モードビットが「１」に設定された場
合、フレームは「ブランクおよびバースト」または「ディムおよびバースト」フ
ォーマットからなる。「ブランクおよびバースト」動作は、フレーム全体が二次
トラヒックまたはシグナリングトラヒックのために用いられる動作であり、一方
、「ディムおよびバースト」動作は、一次トラヒックがフレームを二次トラヒッ
クまたはシグナリングトラヒックのいずれかと共有する動作である。
【００２７】
混合モードビットに続く第１のビットはトラヒックタイプビットである。トラ
ヒックタイプビットを用いて、フレームが二次トラヒックまたはシグナリングト
ラヒックのいずれを含むのかを特定する。トラヒックタイプビットが「０」の場
合、フレームはシグナリングトラヒックを含む。トラヒックタイプビットが「１
」の場合、フレームは二次トラヒックを含む。図２ｂ〜図２ｅおよび図２ｉ〜図
２ｌはトラヒックタイプビットを示す。トラヒックタイプビットに続く２ビット
はトラヒックモードビットである。２ビットのトラヒックモードビットはフレー
ム内のデータの組み合わせを特定する。
【００２８】
好適な実施例において、一次トラヒックだけは、４．８ｋｂｐｓ、２．４ｋｂ
ｐｓおよび１．２ｋｂｐｓのレートでフレームに伝送される。混合モードビット
は、一般に、９．６ｋｂｐｓのレート以外のレートで動作しないが、ただし、９
．６ｋｂｐｓで動作されるように容易に構成できる。このような特定レートのた
めのフレームフォーマットは図２ｆ〜図２ｈに示される。４．８ｋｂｐｓのレー
トの場合、フレームは、以下に示すように、長さが９６ビットで、フレームの２
０ｍｓｅｃの時間周期ごとにビットを備える。レート４．８ｋｂｐｓのフレーム
は、８０ビットの一次トラヒックビット、８ビットのフレーム品質表示ビットお
よび８ビットの末尾ビットを含む。２．４ｋｂｐｓのレートの場合、フレームは
、以下に示されるように、長さ４８ビット、フレームの２０ｍｓｅｃの時間周期
ごとにビットを備える。レート２．４ｋｂｐｓのフレームは、４０ビットの一次
トラヒックビットおよび８ビットの末尾ビットを含む。１．２ｋｂｐｓのレート
の場合、フレームは、以下に示されるように、長さが２４ビットで、フレームの
２０ｍｓｅｃの時間周期ごとにビットを備える。レート１．２ｋｂｐｓのフレー
ムは、１６ビットの一次トラヒックビットおよび８ビットの末尾ビットを含む。
【００２９】
好適な実施の形態において、アクセスチャネルデータはマイクロプロセッサ１
８によって生成され、４．８ｋｂｐｓで伝送される。データは、４．８ｋｂｐｓ
のフレームフォーマットデータと同様に、例えば、ウォルシュ符号化のような符
号化、インタリーブによって準備される。４．８ｋｂｐｓのデータに対して行わ
れる符号化方法において、逆方向トラヒックチャネルデータまたはアクセスチャ
ネルデータに関わらず、冗長データは生成される。冗長データが伝送時に削除さ
れる逆方向トラヒックチャネルと違って、アクセスチャネルでは、冗長データを
含むすべてのデータは伝送される。アクセスチャネルデータフレームの伝送面に
ついて、詳細は以下に示される。
【００３０】
図２ａ〜図２ｌは、９．６ｋｂｐｓ、４．８ｋｂｐｓ、２．４ｋｂｐｓおよび
１．２ｋｂｐｓのレートのフレームのために生成器２０によって出力されたフレ
ームのフレームフォーマットを示す。図２ａは、一次トラヒックだけを伝送する
ために用いる９．６ｋｂｐｓのフレームを示す。フレームは、０に設定されてフ
レームが一次トラヒックデータしか含まないことを示す１ビットの混合モードビ
ットと、１７１ビットの一次トラヒックデータと、１２ビットのフレーム品質表
示ビットと、８ビットの末尾ビットとからなる。
【００３１】
図２ｂは、レート１／２の一次トラヒックおよびシグナリングトラヒックの伝
送のために用いる９．６ｋｂｐｓのディムおよびバーストフレームを示す。フレ
ームは、１に設定されフレームが一次トラヒックしか含んでいないことを示す１
ビットの混合モードビットと、０に設定されシグナリングデータがフレームにあ
ることを示す１ビットのトラヒックタイプビットと、００に設定されフレームが
レート１／２の一次トラヒックおよびシグナリングトラヒックを含むことを示す
２ビットのトラヒックモードビットと、８０ビットの一次トラヒックビットと、
８８ビットのシグナリングトラヒックビットと、１２ビットのフレーム品質表示
ビットと、８ビットの末尾ビットとからなる。
【００３２】
図２ｃは、レート１／４の一次トラヒックおよびシグナリングトラヒックの伝
送のために用いる９．６ｋｂｐｓのディムおよびバーストフレームを示す。フレ
ームは、１に設定されフレームが一次トラヒックのみ含まないことを示す１ビッ
トの混合モードビットと、０に設定されシグナリングデータがフレームにあるこ
とを示す１ビットのトラヒックタイプビットと、０１に設定されフレームがレー
ト１／４の一次トラヒックおよびシグナリングトラヒックを含むことを示す２ビ
ットのトラヒックモードビットと、４０ビットの一次トラヒックビットと、１２
８ビットのシグナリングトラヒックビットと、１２ビットのフレーム品質表示ビ
ットと、８ビットの末尾ビットとからなる。
【００３３】
図２ｄは、レート１／８の一次トラヒックおよびシグナリングトラヒックの伝
送のために用いる９．６ｋｂｐｓのディムおよびバーストフレームを示す。フレ
ームは、１に設定されフレームが一次トラヒックしか含まないことを示す１ビッ
トの混合モードビットと、０に設定されシグナリングデータがフレームにあるこ
とを示す１ビットのトラヒックタイプビットと、１０に設定されフレームがレー
ト１／８の一次トラヒックおよびシグナリングトラヒックを含むことを示す２ビ
ットのトラヒックモードビットと、１６ビットの一次トラヒックビットと、１５
２ビットのシグナリングトラヒックビットと、１２ビットのフレーム品質表示ビ
ットと、８ビットの末尾ビットとからなる。
【００３４】
図２ｅは、シグナリングトラヒックの伝送のために用いる９．６ｋｂｐｓのブ
ランクおよびバーストフレームを示す。フレームは、１に設定されフレームが一
次トラヒックしか含まないことを示す１ビットの混合モードビットと、０に設定
されシグナリングデータがフレームにあることを示す１ビットのトラヒックタイ
プビットと、１１に設定されフレームがシグナリングトラヒックしか含まないこ
とを示す２ビットのトラヒックモードビットと、１６８ビットのシグナリングト
ラヒックビットと、１２ビットのフレーム品質表示ビットと、８ビットの末尾ビ
ットとからなる。
【００３５】
図２ｆは、レート１／２の一次トラヒックのみを伝送するために用いる４．８
ｋｂｐｓのフレームを示す。フレームは、８０ビットの一次トラヒックビットと
、８ビットのフレーム品質表示ビットと、８ビットの末尾ビットとからなる。図
２ｇは、レート１／４の一次トラヒックのみを伝送するために用いる２．４ｋｂ
ｐｓのフレームを示す。フレームは、４０ビットの一次トラヒックビットと、８
ビットの末尾ビットとからなる。図２ｈは、レート１／８の一次トラヒックのみ
を伝送するために用いる１．２ｋｂｐｓのフレームを示す。フレームは、１６ビ
ットの一次トラヒックビットと、８ビットの末尾ビットとからなる。
【００３６】
図２ｉは、レート１／２の一次トラヒックおよび二次トラヒックを伝送するた
めに用いる９．６ｋｂｐｓのディムおよびバーストフレームを示す。フレームは
、１に設定されフレームが一次トラヒックしか含まないことを示す１ビットの混
合モードビットと、１に設定され二次データがフレームにあること示す１ビット
のトラヒックタイプビットと、００に設定されフレームがレート１／２の一次ト
ラヒックおよび二次トラヒックを含むことを示す２ビットのトラヒックモードビ
ットと、８０ビットの一次トラヒックビットと、８８ビットの二次トラヒックビ
ットと、１２ビットのフレーム品質表示ビットと、８ビットの末尾ビットとから
なる。
【００３７】
図２ｊは、レート１／４の一次トラヒックおよび二次トラヒックの伝送のため
に用いる９．６ｋｂｐｓのディムおよびバーストフレームを示す。フレームは、
１に設定されフレームが一次トラヒックしか含まないことを示す１ビットの混合
モードビットと、１に設定され二次データがフレームにあることを示す１ビット
のトラヒックタイプビットと、０１に設定されフレームがレート１／４の一次ト
ラヒックおよび二次トラヒックを含むことを示す２ビットのトラヒックモードビ
ットと、４０ビットの一次トラヒックビットと、１２８ビットの二次トラヒック
ビットと、１２ビットのフレーム品質表示ビットと、８ビットの末尾ビットとか
らなる。
【００３８】
図２ｋは、レート１／８の一次トラヒックおよび二次トラヒックを伝送するた
めに用いる９．６ｋｂｐｓのディムおよびバーストフレームを示す。フレームは
、１に設定されフレームが一次トラヒックしか含まないことを示す１ビットの混
合モードビットと、１に設定され二次データがフレームにあることを示す１ビッ
トのトラヒックタイプビットと、１０に設定されフレームがレート１／８の一次
トラヒックおよび二次トラヒックを含むことを示す２ビットのトラヒックモード
ビットと、１６ビットの一次トラヒックビットと、１５２ビットの二次トラヒッ
クビットと、１２ビットのフレーム品質表示ビットと、８ビットの末尾ビットと
からなる。
【００３９】
図２ｌは、二次トラヒックの伝送のために用いる９．６ｋｂｐｓのブランクお
よびバーストフレームを示す。フレームは、１に設定されフレームが一次トラヒ
ックしか含まないことを示す１ビットの混合モードビットと、１に設定され二次
データがフレームにあることを示す１ビットのトラヒックタイプビットと、１１
に設定されフレームが二次トラヒックしか含まないことを示す２ビットのトラヒ
ックモードビットと、１６８ビットの二次トラヒックビットと、１２ビットのフ
レーム品質表示ビットと、８ビットの末尾ビットとからなる。
【００４０】
図３は、図２ａ〜図２ｌにしたがってデータをフォーマットするための素子の
一例を示す。図３において、データはマイクロプロセッサ１８（図１参照）から
生成器２０に伝送される。生成器２０は、データバッファ／制御論理回路６０、
ＣＲＣ回路６２、６４および末尾ビット回路６６からなる。マイクロプロセッサ
から供給されたデータとともに、レートコマンドを任意に備えてもよい。データ
は、２０ｍｓｅｃごとに、マイクロプロセッサから論理回路６０に転送され、論
理回路６０で一時的に記憶される。各フォーマットに対して、論理回路６０は、
各フォーマット毎に、マイクロプロセッサから伝送されたビット数をカウントし
てもよい。また、そうする代わりに、論理回路６０は、データフレームのフォー
マット時にレートコマンドおよびクロックサイクルのカウントを用いてもよい。
【００４１】
トラヒックチャネルのフレームは、それぞれ、フレーム品質表示を含む。９．
６ｋｂｐｓおよび４．８ｋｂｐｓの伝送レートの場合、フレーム品質表示はＣＲ
Ｃである。２．４ｋｂｐｓおよび１．２ｋｂｐｓの伝送レートの場合、フレーム
品質表示は、特別なフレーム品質ビットが伝送されないことによって示される。
【００４２】
フレーム品質表示は受信器で２つの関数を指示する。第１の関数はフレームの伝
送レートを判定することであり、一方、第２の関数はフレームがエラーであるか
否かを判定することである。受信器で、これらの判定は、デコーダ情報およびＣ
ＲＣチェックを組み合わせることによって行われる。
【００４３】
９．６ｋｂｐｓおよび４．８ｋｂｐｓのレートの場合、フレーム品質表示（Ｃ
ＲＣ）はフレーム内で計算されるが、ただし、フレーム品質表示（ＣＲＣ）その
ものおよび末尾ビットは除く。論理回路６０は９．６ｋｂｐｓおよび４．８ｋｂ
ｐｓのレートをそれぞれＣＲＣ回路６２および６４に供給する。ＣＲＣ回路６２
および６４は、通常、図示のとおり、シフトレジスタ、モジューロ−２加算器  
（通常、排他的論理和ゲート）およびスイッチのシーケンスとして構成されてい
る。
【００４４】
９．６ｋｂｐｓの伝送レートのデータは１２ビットのフレーム品質表示（ＣＲ
Ｃ）を用い、ＣＲＣは、図２ａ〜図２ｅおよび図２ｉ〜図２ｌを参照して説明し
たように、長さ１９２ビットのフレームに伝送される。ＣＲＣ回路６２を示す図
３に示されるように、９．６ｋｂｐｓのレートの場合の生成器の多項式は以下の
通りである。
【００４５】
ｇ（ｘ）＝ｘ12＋ｘ11＋ｘ10＋ｘ 9＋ｘ 8＋ｘ 4＋ｘ＋１        （１）
４．８ｋｂｐｓの伝送レートのデータは８ビットのＣＲＣを用い、ＣＲＣは長
さ９６ビットのフレームに伝送される。ＣＲＣ回路６４を示す図３に示されるよ
うに、４．８ｋｂｐｓのレートの場合の生成器の多項式は以下の通りである。
【００４６】
ｇ（ｘ）＝ｘ 8＋ｘ 7＋ｘ 4＋ｘ 3＋ｘ＋１                    （２）
まず、ＣＲＣ回路６２および６４のシフトレジスタ素子は、論理回路６０から
の初期化信号によって論理１（「１」）に設定される。さらに、論理回路６０は
アップ位置で回路６２および６４のスイッチを設定する。
【００４７】
レート９．６ｋｂｐｓのデータの場合、回路６２のレジスタは、回路６２への
入力して対応するモード／フォーマットビットとともに一次トラヒックビット、
二次トラヒックビット、シグナリングビットまたはこれらの混合のシーケンス内
の１７２ビットのために、１７２回クロックされる。１７２ビットが回路６２を
介してクロックされた後、次に、論理回路６０はダウン位置で回路６２のスイッ
チを設定しながら、回路６２のレジスタはさらに１２回クロックされる。回路６
２をさらに１２回クロックした結果、さらに１２ビットの出力がなされ、この出
力ビットはフレーム品質表示ビット（ＣＲＣビット）である。フレーム品質表示
ビットは、計算された順に、回路６２から出力として１７２ビットの最後に付加
される。なお、論理回路６０から出力され回路６２を通過する１７２ビットは、
ＣＲＣビットの計算(computation) によって邪魔されないので、１７２ビットが
入力されたのと同じ順番かつ同じ値で回路６２から出力される。
【００４８】
レート９．６ｋｂｐｓのデータの場合、ビットは以下の順番で論理回路６０か
ら回路６４に入力される。一次トラヒックのみの場合、ビットは、１ビットの混
合モード（ＭＭ）ビットの次に１７１ビットのトラヒックビットの順で論理回路
６０から回路６４に入力される。一次トラヒックおよびシグナリングトラヒック
を有する「ディムおよびバースト」の場合、ビットは、１ビットのＭＭビット、
１ビットのトラヒックタイプ（ＴＴ）ビット、２ビットのトラヒックモード（Ｔ
Ｍ）ビット、８０ビットの一次トラヒックビットおよび８６ビットのシグナリン
グトラヒックビットの順に論理回路６０から回路６４に入力される。一次トラヒ
ックおよび二次トラヒックを有する「ディムおよびバースト」の場合、ビットは
、１ビットのＭＭビット、１ビットのＴＴビット、２ビットのＴＭビット、８０
ビットの一次トラヒックビットおよび８７ビットのシグナリングトラヒックビッ
トの順に論理回路６０から回路６４に入力される。シグナリングトラヒックのみ
を有する「ブランクおよびバースト」データフォーマットの場合、ビットは、１
ビットのＭＭビット、１ビットのＴＴビットおよび１６８ビットのシグナリング
トラヒックビットの順に論理回路６０から回路６４に入力される。二次トラヒッ
クのみを有する「ブランクおよびバースト」データフォーマットの場合、ビット
は、１ビットのＭＭビット、１ビットのＴＴビットおよび１６９ビットのシグナ
リングトラヒックビットの順に論理回路６０から回路６４に入力される。
【００４９】
４．８ｋｂｐｓレートのデータと同様に、回路６４のレジスタは、論理回路６
０から回路６４への入力として、８０ビットの一次トラヒックデータまたは８０
ビットのアクセスチャネルデータのために８０回クロックされる。８０ビットが
回路６４を介してクロックされた後、論理回路６０はダウン位置で回路６４のス
イッチを設定しながら、次に、回路６４のレジスタはさらに８回クロックされる
。回路６２でさらに１２回クロックした結果、さらに１２ビットが出力され、そ
れはＣＲＣビットである。ＣＲＣビットは、計算された順に、回路６４からの出
力として再び８０ビットの最後に付加される。なお、論理回路６０から出力され
回路６４を通過する８０ビットはＣＲＣビットの計算(computation) によって邪
魔されないので、８０ビットが入力されたのと同じ順番かつ同じ値で回路６４か
ら出力される。
【００５０】
回路６２および６４のいずれかから出力されたビットはスイッチ６６に供給さ
れ、スイッチ６６は論理回路６０に制御される。また、スイッチ６６への入力は
、２．４ｋｂｐｓおよび１．２ｋｂｐｓのデータフレームのために論理回路６０
から出力された４０ビットおよび１６ビットの一次トラヒックデータである。ス
イッチ６６は、入力データの出力（アップ位置）の供給と論理０（「０」）の値
での末尾ビット（ダウン位置）の供給とを選択する。スイッチ６６は、通常、ア
ップ位置に設定され、論理回路６０からのデータおよび回路６２および６４があ
る場合はそれらからのデータを生成器２０からエンコーダ２２（図１参照）に出
力する。９．６ｋｂｐｓおよび４．８ｋｂｐｓのフレームデータの場合、ＣＲＣ
ビットがスイッチ６６を介してクロックされた後、論理回路６０は、８クロック
サイクルがすべて０の８ビットの末尾ビットを生成するように、スイッチをダウ
ン位置に設定する。このため、９．６ｋｂｐｓおよび４．８ｋｂｐｓのデータフ
レームの場合、フレームのためエンコーダに出力されるデータは、ＣＲＣビット
、８ビットの末尾ビットの後に付加される。２．４ｋｂｐｓおよび１．２ｋｂｐ
ｓのフレームデータの場合も同様に、一次トラヒックビットが論理回路６０から
スイッチ６６を介してクロックされた後、論理回路６０は、８クロックサイクル
がすべて０の８ビットの末尾ビットを生成するように、スイッチをダウン位置に
設定する。このため、２．４ｋｂｐｓおよび１．２ｋｂｐｓのデータフレームの
場合、フレームのためエンコーダに出力されるデータは、一次トラヒックビット
、８ビットの末尾ビットの後に付加される。
【００５１】
図４〜図６は、データを開示のフレームフォーマットに組み込んだときのマイ
クロプロセッサ１８および生成器２０の動作を一連のフローチャートで示す。な
お、伝送のため様々なトラヒックタイプおよびレートを優先する様々な方法を行
ってもよい。本実施例において、ボコーダデータが存在する場合にシグナリング
トラヒックメッセージが送信されるとき、「ディムおよびバースト」フォーマッ
トを選択してもよい。マイクロプロセッサ１８は、ボコーダが通常サンプルフレ
ームを符号化するレートに関わらず、ボコーダが音声サンプルフレームをハーフ
レートで符号化するようにボコーダ１８に対してコマンドを生成する。次に、マ
イクロプロセッサ１８は、シグナリングトラヒックとともにハーフレートのボコ
ーダデータを９．６ｋｂｐｓのフレームに組み込む。この場合、ハーフレートで
符号化される音声フレームの数に限界を設け、音声の品質の劣化を避けてもよい
。代わりに、マイクロプロセッサ１８は、データを「ディムおよびバースト」フ
ォーマットに組み込む前にボコーダのハーフレートフレームが受信されるまで待
機してもよい。この場合、確実にシグナリングデータをタイムリーに伝送するた
め、コマンドがボコーダに送られハーフレートで符号化を行う前に、ハーフレー
ト以外の連続フレームの数の上限を設けてもよい。二次トラヒックは、同様に、
「ディムおよびバースト」フォーマット（図２ｂ〜図２ｄおよび図２ｉ〜図２ｋ
参照）に転送されてもよい。
【００５２】
図２ｅ〜図２ｌに示すように、「ブランクおよびバースト」データフォーマッ
トの場合も同様である。ボコーダは音声サンプルのフレームを符号化しないよう
に命令される。または、ボコーダデータは、データフレーム構成時にマイクロプ
ロセッサによって無視される。  様々なレートの一次トラヒック、「ディムおよ
びバースト」トラヒックおよび「ブランクおよびバースト」トラヒックのそれぞ
れのフレームフォーマット生成の優先順位をつけることは，さまざまに決定でき
る。
【００５３】
図１を参照すると、９．６ｋｂｐｓ、４．８ｋｂｐｓ、２．４ｋｂｐｓおよび
１．２ｋｂｐｓのデータの２０ｍｓｅｃフレームは生成器２０からエンコーダ２
２に出力される。一実施の形態において、エンコーダ２２は畳み込みエンコーダ
、公知のタイプのエンコーダであることが好ましい。エンコーダ２２はレート１
／３、制約長ｋ＝９畳み込みコードを用いてデータを符号化するのが好ましい。
【００５４】
一例として、エンコーダ２２は、ｇ０＝５５７（８進法）、ｇ１＝６６３（８進
法）およびｇ２＝７１１（８進法）で構成される。公知のように、畳み込み符号
化は、連続的にタイムシフトされた遅延データシーケンスの選択タップのモジュ
ーロ−２加算を含む。データシーケンスの遅延の長さはｋ−１に等しく、ここで
、ｋはコードの制約長である。好適な実施の形態において、レート１／３のコー
ドを用いるので、３つのコード記号、すなわち、コード記号（ｃ０）、（ｃ１）
および（ｃ２）は、エンコーダに入力された各データビットごとに生成される。
【００５５】
コード記号（ｃ０）、（ｃ１）および（ｃ２）は、それぞれ、生成器の関数ｇ０
、ｇ１およびｇ２によって生成される。コード記号はエンコーダ２２からブロッ
クインタリーバ２４に出力される。出力されたコード記号は、１番目にコード記
号（ｃ０）、２番目に（ｃ１）、最後に（ｃ２）の順でインタリーバ２４に供給
される。初期化時のエンコーダ２２の状態はすべて０の状態である。さらに、各
フレームの最後の末尾ビットを用いて、エンコーダ２２をすべて０の状態に再設
定する。  エンコーダ２２から出力された記号はブロックインタリーバ２４に供
給され、ブロックインタリーバ２４はマイクロプロセッサ１８によって制御され
、コード記号を反復する。従来のランダムアクセスメモリ（ＲＡＭ）をマイクロ
プロセッサ１８によってアドレス指定されるようにＲＡＭ内に記憶された記号と
ともに用いて、データチャネルに伴って変動するコード記号反復を行うように、
コード記号を記憶してもよい。
【００５６】
コード記号は９．６ｋｂｐｓのデータレートでは反復されない。４．８ｋｂｐ
ｓのデータレートのコード記号は、それぞれ、１回反復される。すなわち、各記
号は２回発生する。２．４ｋｂｐｓのデータレートのコード記号は、それぞれ、
３回反復される。すなわち、各記号は４回発生する。１．２ｋｂｐｓのデータレ
ートのコード記号は、それぞれ、７回反復される。すなわち、各記号は８回発生
する。すべてのデータレート（９．６ｋｂｐｓ、４．８ｋｂｐｓ、２．４ｋｂｐ
ｓおよび１．２ｋｂｐｓ）において、コード反復によって、インタリーバ２４か
らの出力としてデータに対して２８，８００コード記号／秒の一定のコード記号
レートが生じる。逆方向トラヒックチャネルで、反復されたコード記号は、以下
に詳細に説明するように、可変伝送デューティサイクルのために実際に伝送する
前に削除されたコード記号反復の１つ以外は複数回伝送されない。以下に詳細に
示すように、コード記号反復をインタリーバおよびデータバーストランダム化装
置の動作を説明する適当な方法として用いることは理解されるであろう。さらに
、コード記号反復を用いる以外の方法によって同様の結果を達成するとともに本
発明の教示する範囲内にとどまることが容易に行えることも理解されるであろう
。  逆方向トラヒックチャネルおよびアクセスチャネルで伝送されるすべてのコ
ード記号は、変調および伝送される前にインタリーブされる。公知のように構成
されたブロックインタリーバ２４は、２０ｍｓｅｃの時間周期でコード記号を出
力する。インタリーバの構造は、通常、３２列および１８行、すなわち、５７６
個のセルを有する矩形のアレイである。コード記号は、９．６ｋｂｐｓ、４．８
ｋｂｐｓ、２．４ｋｂｐｓおよび１．２ｋｂｐｓのレートでデータを反復して、
インタリーバの行に書き込まれ、３２×１８のマトリクスを完全に満たす。図７
〜図１０は、それぞれ、９．６ｋｂｐｓ、４．８ｋｂｐｓ、２．４ｋｂｐｓおよ
び１．２ｋｂｐｓのデータ伝送レートの場合、反復コード記号をインタリーバに
書き込む動作の順番を示す。
【００５７】
逆方向トラヒックチャネルのコード記号はインタリーバの列から出力される。
【００５８】
また、マイクロプロセッサ１８は、記号を適切な順番で出力するため、インタリ
ーバメモリのアドレス指定を制御する。インタリーバの列は以下に示す順番で出
力されるのが好ましい。
【００５９】
９．６ｋｂｐｓの場合、
1 2 3 4 5 6 7 8 9 10 11 12 13 14 15 16 17 18 19 20 21 22 23 24 25 26  
27 28 29 30 31 32
４．８ｋｂｐｓの場合、
1 3 2 4 5 7 6 8 9 11 10 12 13 15 14 16 17 19 18 20 21 23 22 24 25 27  
26 28 2931 30 32 
２．４ｋｂｐｓの場合、
1 5 2 6 3 7 4 8 9 13 10 14 11 15 12 16 17 21 18 22 19 23 20 24 25 29  
26 30 27 31 28 32
１．２ｋｂｐｓの場合、
1 9 2 10 3 11 4 12 5 13 6 14 7 15 8 16 17 25 18 26 19 27 20 28 21 29  
22 30 23 31 24 32
アクセスチャネルのコード記号もまた、インタリーバ２４の列から出力される
。マイクロプロセッサ１８は、記号を適切な順番で出力するため、  インタリー
バメモリのアドレス指定を制御する。インタリーバの列は、アクセスチャネルの
コード記号の場合４．８ｋｂｐｓで以下の順番で出力される。
【００６０】
1 17 9 25 5 21 13 29 3 19 11 27 7 23 15 31 2 18 10 26 6 22 14 30 4 20
12 28 8 24 16 32 
なお、他の符号化レート、例えば、順方向伝送チャネルで用いられるレート１
／２の畳み込みコードは、様々な他の記号インタリーブフォーマットとともに、
本発明の基本的な教示を用いて容易に想到される。
【００６１】
図１を参照すると、インタリーブされたコード記号はインタリーバ２４から変
調器２６に出力される。好適な実施の形態において、逆方向ＣＤＭＡチャネルの
変調は６４アレイ直交シグナリングを用いる。すなわち、６４個の変調記号のう
ち１つは６つのコード記号ごとに伝送される。６４アレイ変調記号は、好ましく
はウォルシュ関数を用いて生成された６４個の直交波形の１つである。これらの
変調記号は図１１〜図１３に示され、０〜６３の番号が付される。変調記号は下
式にしたがって選択される。
【００６２】
変調記号番号＝ｃ0   ＋２ｃ1 ＋４ｃ2 ＋８ｃ3 ＋１６ｃ4 ＋３２ｃ5 （３）
ここで、ｃ5 は、変調記号を形成する６つのコード記号の各グループの最後ま
たは最新の二値化（「０」および「１」）コード記号を示し、ｃ0 は最初または
もっとも古い二値化コード記号を示す。１つの変調記号を伝送するために必要な
周期は「ウォルシュ記号」区間と呼ばれ、２０８．３３３μｓにほぼ等しい。６
４番目の変調記号に関連する時間周期は「ウォルシュチップ」と呼ばれ、３．２
５５２０８３３３３．．．μｍにほぼ等しい。
【００６３】
変調記号またはウォルシュ記号は、それぞれ、変調器２６からモジューロ−２
加算器、排他的論理和ゲート２８の入力の１つに出力される。ウォルシュ記号は
４８００ｓｐｓで変調器から出力され、４８００ｓｐｓは３０７．２ｋｃｐｓの
ウォルシュチップレートに相当する。ゲート２８に対する他の入力は長コード生
成器３０から供給され、生成器３０は、マスク回路３２と協働してマスク擬似雑
音（ＰＮ）コードを生成し、ＰＮコードは長コードシーケンスと呼ばれる。生成
器３０から供給された長コードシーケンスは、変調器２６のウォルシュチップレ
ートの４倍のチップレート、すなわち、ＰＮチップレート１．２２８８Ｍｃｐｓ
である。ゲート２８は２つの入力信号を結合し、データを１．２２８８Ｍｃｐｓ
のチップレートで出力する。
【００６４】
長コードシーケンスは長さ２４２−１チップのシーケンスのタイムシフトであ
り、以下の多項式を用いて公知の線形生成器によって生成される。
【００６５】
Ｐ（ｘ）＝Ｘ42＋Ｘ35＋Ｘ33＋Ｘ31＋Ｘ27＋Ｘ26＋Ｘ25＋Ｘ22＋Ｘ21＋Ｘ19＋  
Ｘ18＋Ｘ17＋Ｘ16＋Ｘ10＋Ｘ7 ＋Ｘ6 ＋Ｘ5 ＋Ｘ3 ＋Ｘ2 ＋Ｘ1 ＋１
（４）
図１４は生成器３０をさらに詳細に示す。生成器３０はシーケンス生成部７０
およびマスキング部７２からなる。生成部７０はシフトレジスタおよびモジュー
ロ−２加算器（通常、排他的論理和ゲート）のシーケンスからなり、シフトレジ
スタおよびモジューロ−２加算器は接続され、等式４にしたがって４２ビットの
コードを生成する。次に、長コードは、生成部７０から出力された４２ビットの
状態変数をマスク回路３２から供給された４２ビットのワイドマスクでマスキン
グすることによって生成される。
【００６６】
マスキング部７２は一連の入力ＡＮＤゲート７４1 〜７４42からなり、これら
の論理積ゲートは４２ビットのワイドマスクのそれぞれのマスクビットを受信す
る入力を１つ有する。ＡＮＤゲート７４1 〜７４42の各々の他方の入力は、生成
部７０の対応するシフトレジスタからの出力を受信する。ＡＮＤゲート７４1 〜
７４42の出力は加算器７６によってモジューロ−２加算され、生成部７０のシフ
トレジスタの１．２２８８ＭＨｚのクロックごとに１ビットの出力を形成する。
【００６７】
加算器７６は、通常、公知のように排他的論理和ゲートのカスケード構造のよう
に構成されている。したがって、実際に出力されたＰＮシーケンスは、図１４に
示すように、シーケンス生成器７０のすべての４２ビットの出力ビットをモジュ
ーロ−２加算することによって生成される。
【００６８】
ＰＮ拡散に用いられるマスクは、移動局が通信を行うチャネルタイプによって
変化する。図１を参照すると、初期化情報はマイクロプロセッサ１８から生成器
３０およびマスク回路３２に供給される。生成器３０は回路を初期化するための
初期化情報に応答する。マスク回路３２もまた初期化情報に応答し、初期化情報
は供給されるマスクタイプを示し、４２ビットのマスクを出力する。このように
、マスク回路３２は、マスクを各通信チャネルタイプごとに含むメモリのように
構成されてもよい。図１５Ａ〜図１５Ｃは、各チャネルタイプごとのマスキング
ビットの定義例を示す。
【００６９】
特に、アクセスチャネルで通信を行う場合、マスクは図１５Ａに示されるよう
になる。アクセスチャネルのマスクにおいて、マスクビットＭ24〜Ｍ41は「１」
に設定され、マスクビットＭ19〜Ｍ23は選択されたアクセスチャネル番号に設定
され、マスクビットＭ16〜Ｍ18は関連するページングチャネルのコードチャネル
に設定される。すなわち、その範囲は、通常、１〜７である。マスクビットＭ9 
〜Ｍ15は現基地局の登録域に設定され、マスクビットＭ0 〜Ｍ8 は現ＣＤＭＡチ
ャネルのパイロットＰＮ値に設定される。
【００７０】
逆方向トラヒックチャネルで通信を行う場合、マスクは図１５Ｂに示されるよ
うになる。移動局はその移動局独自の２つの長コードの１つを用い、２つの長コ
ードとは、すなわち、移動局の電子シリアル番号（ＥＳＮ）独自の公衆長コード
と、通常、移動局の電話番号である各移動局の識別番号（ＭＩＮ）独自の個人長
コードである。個人長コードにおいて、マスクビットＭ32〜Ｍ41は「０」に設定
され、マスクビットＭ0 〜Ｍ31は移動局のＥＳＮ値に設定される。      
個人長コードが図１５Ｃに示されるように実施されることは想到される。個人
長コードは基地局と移動局だけに分かるようにさらにセキュリティを供給する。
【００７１】
専用長コードは伝送媒体を通じて明文では伝送されない。個人長コードにおいて
、マスクビットＭ40〜Ｍ41は、それぞれ、「０」および「１」に設定され、マス
クビットＭ0 〜Ｍ39は所定の割り当て方法にしたがって設定されてもよい。
【００７２】
図１を参照すると、ゲート２８の出力は、それぞれ、１対のモジューロ−２加
算器、排他的論理和ゲート３４および３６のそれぞれ１つに対して一方の入力と
して供給される。ゲート３４および３６の各々に対する他方の入力は第２および
第３のＰＮシーケンスであり、これらのシーケンスは、それぞれ、ＩチャネルＰ
Ｎ生成器３８およびＱチャネルＰＮ生成器４０によって生成されたＩチャネルお
よびＱチャネル「短コード」である。したがって、逆方向アクセスチャネルおよ
び逆方向トラヒックチャネルは、実際に伝送される前にＯＱＰＳＫ拡散される。
【００７３】
このような逆方向チャネルにおけるオフセット直角拡散は、順方向チャネルＩお
よびＱパイロットＰＮコードと同じＩチャネルＰＮコードおよびＱチャネルＰＮ
コードを用いる。生成器３８および４０が生成したＩチャネルＰＮコードおよび
ＱチャネルＰＮコードは長さが２１５であり、順方向チャネルに対して０回オフ
セットコードが好ましい。さらに理解するため、順方向チャネルにおいて、パイ
ロット信号は各基地局ごとに生成される。各基地局のパイロットチャネル信号は
、上記のように、ＩチャネルＰＮコードおよびQ チャネルＰＮコードによって拡
散される。基地局のＩチャネルＰＮコードおよびＱチャネルＰＮコードは、コー
ドシーケンスをずらすことによって互いにオフセットし、基地局伝送間で区別す
る。ＩチャネルおよびＱチャネルの短ＰＮコードの生成関数は下式のとおりであ
る。
【００７４】
ＰI(X)＝Ｘ15＋Ｘ13＋Ｘ9 ＋Ｘ8 ＋Ｘ7 ＋Ｘ5 ＋１        （５）および
ＰQ(X)＝Ｘ15＋Ｘ12＋Ｘ11＋Ｘ10＋Ｘ6 ＋Ｘ5 ＋Ｘ4 ＋Ｘ3 ＋１（６）
生成器３８および４０は、公知のように、等式（５）および（６）にした
がって出力シーケンスを供給するように構成されてもよい。
【００７５】
Ｉ波形およびＱ波形は、それぞれ、ゲート３４および３６から出力され、ゲー
ト３４および３６で、有限インパルス応答（ＦＩＲ）フィルタ４２および４４に
入力される。ＦＩＲフィルタ４２および４４はディジタルフィルタであり、発生
するＩ波形およびQ 波形の帯域を限定する。これらのディジタルフィルタはＩ波
形およびＱ波形を整形し、その結果生じるスペクトルは所定のスペクトルマスク
に含まれる。フィルタ４２および４４は公知のディジタルフィルタ技術にしたが
って構成されてもよく、所望の周波数応答を供給するのが好ましい。
【００７６】
ディジタルフィルタ４２および４４に対するバイナリ「０」および「１」入力
はＰＮ拡散関数によって生成され、それぞれ、＋１および−１にマッピングされ
る。ディジタルフィルタのサンプリング周波数４．９１５２ＭＨｚ＝４×１．２
２８８ＭＨｚである。ＩおよびＱディジタル波形に同期する付加バイナリ「０」
および「１」入力シーケンスは、ディジタルフィルタ４２および４４の各々に供
給される。このような特定のシーケンスはマスキングシーケンスと呼ばれ、デー
タバーストランダム化装置によって生成された出力である。マスキングシーケン
スはＩおよびＱバイナリ波形を乗じ、ディジタルフィルタ４２および４４に対し
て３進法（−１、０および＋１）入力を行う。
【００７７】
上記のように、逆方向トラヒックチャネルで伝送するためのデータレートは９
．６ｋｂｐｓ、４．８ｋｂｐｓ、２．４ｋｂｐｓまたは１．２ｋｂｐｓのレート
のうち１つであり、フレームごとに変化する。アクセスチャネルおよび逆方向ト
ラヒックチャネルの両方のためのフレームの長さは２０ｍｓに固定されているの
で、フレームあたりの情報バイナリ数は、それぞれ、９．６ｋｂｐｓ、４．８ｋ
ｂｐｓ、２．４ｋｂｐｓまたは１．２ｋｂｐｓのデータレートで伝送するため、
１９２、９６、４８または２４になる。上記のように、情報はレート１／３の畳
み込みエンコーダを用いて符号化され、次に、コード記号は、９．６ｋｂｐｓ、
４．８ｋｂｐｓ、２．４ｋｂｐｓまたは１．２ｋｂｐｓのデータレートに対して
、１、２、４または８の係数によって反復される。このため、その結果生じる反
復コード記号レートは２８，８００記号／秒（ｓｐｓ）に固定される。２８，８
００ｓｐｓのストリームは、上記のように、ブロックインタリーブされる。
【００７８】
伝送を行う前に、逆方向トラヒックチャネルのインタリーバの出力ストリーム
は時間フィルタでゲート処理され、時間フィルタは、あるインタリーバの出力記
号の伝送およびその出力記号以外のものの削除を行うことができる。このため、
伝送ゲートのデューティサイクルは伝送データレートによって変化する。伝送デ
ータレートが９．６ｋｂｐｓの場合、伝送ゲートはすべてのインタリーバの出力
記号を伝送できる。伝送データレートが４．８ｋｂｐｓの場合、伝送ゲートは１
／２のインタリーバの出力記号の伝送等を行うことができる。ゲート処理は、２
０ｍｓｅｃのフレームを１６個の等しい長さ（すなわち、１．２５ｍｓ）の周期
に分割することによって動作し、この周期は電力制御グループと呼ばれる。ある
電力制御グループはゲートオンされ（すなわち、伝送され）、一方、他のグルー
プはゲートオフされる（すなわち、伝送されない）。
【００７９】
ゲートオンおよびゲートオフグループの割り当てはデータバーストランダム化
関数と呼ばれる。ゲートオン電力制御グループはフレーム内の位置で擬似ランダ
ム化され、逆方向ＣＤＭＡチャネルの実際のトラヒック負荷は、各デューティサ
イクルごとのフレームのランダム分散を前提として、平均化される。ゲートオン
電力制御グループは、反復処理に入力されたすべてのコード記号が反復されるこ
となく一度伝送されるように構成されている。ゲートオフ周期時、移動局はエネ
ルギを送らないので、同じ逆方向ＣＤＭＡチャネルで動作する他の移動局に対す
る干渉を低減する。この記号ゲート処理は、伝送フィルタ処理前に行う。
【００８０】
移動局がアクセスチャネルで伝送する場合、伝送ゲート処理は用いられない。
【００８１】
アクセスチャネルで伝送を行う場合、コード記号は、伝送される前に、１回（各
記号は２回行われる）反復される。
【００８２】
データバーストランダム化関数の実行において、データバーストランダム化論
理回路４６は「０」および「１」のマスキングストリームを生成し、マスキング
ストリームは、コード反復によって生じた冗長データをマスク処理する。マスキ
ングストリームパターンは、フレームデータレートと、生成器３０が生成した長
コードシーケンスから取り出された１４ビットのブロックとによって決定される
。これらのマスクビットはデータフローに同期し、データは、データフィルタ４
２および４４の動作を介してこれらのビットによって選択的にマスク処理される
。論理回路４６内で、生成器３０から出力された１．２２８８ＭＨｚの長コード
シーケンスは１４ビットのシフトレジスタに入力され、１．２２８８ＭＨｚのレ
ートでシフトされる。このシフトレジスタの内容は、各逆方向トラヒックチャネ
ルフレームの境界まで、１４ビットのラッチのただ１つの電力制御グループ（１
．２５ｍｓ）にロードされる。論理回路４６はこのデータをマイクロプロセッサ
１８から入力されたレートとともに用い、所定のアルゴリズムにしたがって、特
定の電力制御グループを決定し、このグループのデータは伝送のためにフィルタ
４２および４６を通過できる。このため、論理回路４６は、データが濾波される
（「０」になる）か通過する（「１」になる）かにしたがって、電力制御グル
ープ全体に対して、各電力制御グループごとに「１」または「０」を出力する。
【００８３】
対応する受信器において、同じ長コードシーケンスおよびフレームに対して決定
された対応レートを用い、データが存在する適当な電力制御グループを決定する
。
【００８４】
フィルタ４２から出力されたＩチャネルデータはディジタル／アナログ（Ｄ／
Ａ）変換器およびアンチエイリアシングフィルタ回路５０に直接供給される。し
かしながら、Ｑチャネルデータはフィルタ４４から遅延素子４８に出力され、遅
延素子４８では、Ｑチャネルデータにおいて１／２ＰＮチップ時間遅延（４０６
．９ｎｓｅｃ）である。Ｑチャネルデータは遅延素子４８からディジタル／アナ
ログ（Ｄ／Ａ）変換器およびアンチエイリアシングフィルタ回路５２に出力され
る。回路５０および５２はディジタルデータをアナログ形式に変換し、アナログ
信号を濾波する。回路５０および５２から出力された信号はオフセット４位相偏
移キー（ＯＱＰＳＫ）変調器５４に供給され、ＯＱＰＳＫ変調器５４で変調され
、ＲＦ送信回路５６に出力される。回路５６は、伝送する信号を増幅し、濾波し
、周波数に対してアップコンバート処理を行う。信号は、基地局と通信を行うた
め、回路５６からアンテナ５８に出力される。
【００８５】
本発明の実施の形態は移動局に対する変調および伝送用データフォーマットを
説明することが理解されるであろう。データフォーマットはセル基地局と同様に
行われるが、変調は異なる。
【００８６】
改良された実施の形態において、本発明は、代替の２組のデータレートで動作
するように設計されてもよい。第１の実施の形態において、一次トラヒックは、
９．６ｋｂｐｓ、４．８ｋｂｐｓ、２．４ｋｂｐｓおよび１．２ｋｂｐｓのレー
トでフレームに伝送される。本発明の改良された実施の形態において、一次トラ
ヒックは１４．４ｋｂｐｓ、７．２ｋｂｐｓ、３．６ｋｂｐｓおよび１．８ｋｂ
ｐｓのレートでフレームに伝送することができるので、高速のボコーダおよび他
のデータを可能にする。これらのレートは１組のデータレートからなり、ここで
、このレートはレート設定２とする。レート設定１のレートで供給されたデータ
の伝送は上記のように行われる。レート設定２のデータフレームの伝送は、フレ
ーム品質表示（ＣＲＣ）ビットの生成、フレームのビットの割り当ておよびフレ
ームの畳み込み符号化において若干異なるが同様の方法で行われる。違いについ
ては以下に詳細に示す。
【００８７】
本発明の実施の形態において、レート設定１のフレームは、レート設定２のフ
レームとは異なるレートで畳み込み符号化される。レート設定１のフレームはレ
ート１／３で畳み込み符号化され、レート設定２のフレームはレート１／２で畳
み込み符号化される。実施の形態において、２つの別の畳み込みエンコーダが備
えられている。畳み込みエンコーダ２２はレート設定１のフレームの符号化に用
いられるレート１／３の畳み込みエンコーダであり、畳み込みエンコーダ２３は
レート設定２のフレームの符号化に用いられるレート１／２の畳み込みエンコー
ダである。スイッチ２１はマイクロプロセッサ１８からレート設定信号を受信す
るので、フレームを適切な畳み込みエンコーダに向ける。
【００８８】
なお、畳み込みエンコーダ２３からの符号化記号レートは２８．８ｋｂｐｓ、
１４．４ｋｂｐｓ、７．２ｋｂｐｓおよび３．６ｋｂｐｓであり、これらは畳み
込みエンコーダ２２から供給されたレートと同じである。これによって、フレー
ムの畳み込み符号化の後に行われるレート設定２のフレームの伝送は、上記のよ
うにレート設定１のフレームと同様に行われる。
【００８９】
本実施の形態において、生成器２０のレート設定２のフレームに用いられるフ
レーム品質表示のための生成器の多項式は以下のとおりである。
【００９０】
１２ビットのフレーム品質表示の場合、
ｇ（ｘ）＝Ｘ12＋Ｘ11＋Ｘ10＋Ｘ9 ＋Ｘ8 ＋Ｘ4 ＋Ｘ  ＋１  （７）
１０ビットのフレーム品質表示の場合、
ｇ（ｘ）＝Ｘ10＋Ｘ9 ＋Ｘ8 ＋Ｘ7 ＋Ｘ6 ＋Ｘ4 ＋Ｘ3 ＋１  （８）
８ビットのフレーム品質表示の場合、
ｇ（ｘ）＝Ｘ8 ＋Ｘ7 ＋Ｘ4 ＋Ｘ3 ＋Ｘ  ＋１              （９）
６ビットのフレーム品質表示の場合、
ｇ（ｘ）＝Ｘ6 ＋Ｘ2 ＋Ｘ  ＋１                          （１０）以上の
多項式を用いてフレーム品質表示を生成するエンコーダの設計およ
び実行は上記のレート設定１の場合と同じである。
【００９１】
レート設定１のフレームとレート設定１のフレームとの最後の違いは消去表示
ビットを含むことである。消去表示ビットは、通信装置の受信システムからリモ
ート送信装置へ送信される帰還信号であり、フレーム消去が生じたことを示す。
【００９２】
本実施の形態において、個人局が受信フレームのデータレートを決定できなかっ
たりエラーが検出される場合、ビットは設定される。このビットは、受信信号強
度のような受信信号品質メトリクスの他の形式に基づいてもよい。応答において
、リモート送信装置は、その伝送エネルギを大きくするかまたはそのデータレー
トを遅くすることによって信号強度を大きくするように応答できる。消去ビット
はマイクロプロセッサ１８または付加素子、消去表示素子１９によって設定され
てもよく、これらは、通信装置（図示されていない）の受信システムからのフレ
ーム消去信号とともに動作する。
【００９３】
以下に示される表ＩＩは２つのレート設定のフレームの内容を示す。上記のと
おり、レート設定１のフレームの場合、９６００ｂｐｓのフレームは、１７２ビ
ットの情報ビットと、１２ビットのフレーム品質表示ビットと、８ビットの末尾
ビットとからなる。４８００ｂｐｓのフレームは、８０ビットの情報ビットと、
８ビットのフレーム品質表示ビットと、８ビットの末尾ビットとからなる。２４
００ｂｐｓのフレームは、４０ビットの情報ビットと、８ビットの末尾ビットと
からなる。１２００ｂｐｓのフレームは、１６ビットの情報ビットと、８ビット
の末尾ビットとからなる。レート設定２のフレームの場合、１４，４００ｂｐｓ
のフレームは、２６７ビットの情報ビットと、１ビットの消去表示ビットと、１
２ビットのフレーム品質表示ビットと、８ビットの末尾ビットとからなる。７２
００ｂｐｓのフレームは、１２５ビットの情報ビットと、１ビットの消去表示ビ
ットと、１０ビットのフレーム品質表示ビットと、８ビットの末尾ビットとから
なる。３６００ｂｐｓのフレームは、５５ビットの情報ビットと、１ビットの消
去表示ビットと、８ビットのフレーム品質表示ビットと、８ビットの末尾ビット
とからなる。１８００ｂｐｓのフレームは、２１ビットの情報ビットと、１ビッ
トの消去表示ビットと、６ビットのフレーム品質表示ビットと、８ビットの末尾
ビットとからなる。
【表２】
2004328784.tif 000004
【００９４】
図１６ａ−Ｆ５、図１７Ｇ−Ｌ、図１8Ｍ−Ｒ，図１９Ｓ−Ｙは、レート設定
２で生成されたフレームのフレームフォーマットを示す。図１６ａ−Ｆ５、図１
７Ｇ−Ｌ、図１8Ｍ−Ｒ，図１９Ｓ−Ｙにおいて、フレームに含まれるビット表
記は以下のとおりである。消去表示ビット（Ｅ）、予備ビット（Ｒ）、混合モー
ドビット（ＭＭ）、フレームモードビット（ＦＭ）、フレーム品質表示ビットま
たはＣＲＣビット（Ｆ）およびエンコーダ末尾ビット（Ｂ）である。
【００９５】
図１６Ａには、フルレートの一次トラヒックの伝送に用いる１４．４ｋｂｐｓ
のフレームが示されている。上記消去表示ビットは１ビットであり、予備ビット
は１ビットである。混合モードビットは０に設定され、フレームが一次トラヒッ
クデータしか含まないことを示す。２６５ビットの一次トラヒックビットを備え
、次に、１２ビットのフレーム品質表示ビットおよび８ビットの末尾ビットがく
る。
【００９６】
図１６Ｂには、ハーフレートの一次トラヒックおよびシグナリングトラヒック
の伝送に用いる１４．４ｋｂｐｓのディムおよびバーストフレームが示されてい
る。消去表示ビットは１ビットで、予備ビットは１ビットである。混合モードビ
ットは１に設定され、パケットが一次トラヒック以外のデータからなることを示
す。フレームモードビットは４ビットで、パケット内のデータのタイプを示す。
【００９７】
フレームモードビットは００００に設定され、パケットにあるデータがハーフレ
ートの一次トラヒックおよびシグナリングトラヒックであることを示す。１２４
ビットの一次トラヒックおよび１３７ビットのシグナリングトラヒックがある。
【００９８】
フレームは、１２ビットのフレーム品質表示ビットおよび８ビットの末尾ビット
を伴う。
【００９９】
図１６Ｃには、レート１／４の一次トラヒックおよびシグナリングトラヒック
の伝送に用いる１４．４ｋｂｐｓのディムおよびバーストフレームが示されてい
る。消去表示ビットは１ビットで、予備ビットは１ビットである。混合モードビ
ットは１に設定される。フレームモードビットは０００１に設定され、パケット
にあるデータがレート１／４の一次トラヒックおよびシグナリングトラヒックで
あることを示す。５４ビットの一次トラヒックおよび２０７ビットのシグナリン
グトラヒックがある。フレームは、１２ビットのフレーム品質表示ビットおよび
８ビットの末尾ビットを伴う。
【０１００】
図１６Ｄには、レート１／８の一次トラヒックおよびシグナリングトラヒック
の伝送に用いる１４．４ｋｂｐｓのディムおよびバーストフレームが示されてい
る。消去表示ビットは１ビットで、予備ビットは１ビットである。混合モードビ
ットは１に設定される。フレームモードビットは００１０に設定され、パケット
にあるデータがレート１／８の一次トラヒックおよびシグナリングトラヒックで
あることを示す。フレームは、２０ビットの一次トラヒックおよび２４１ビット
のシグナリングトラヒックを有し、１２ビットのフレーム品質表示ビットおよび
８ビットの末尾ビットを含む。
【０１０１】
図１６Ｅには、シグナリングトラヒックの伝送に用いる１４．４ｋｂｐｓのブ
ランクおよびバーストフレームが示されている。消去表示ビットは１ビットで、
予備ビットは１ビットである。混合モードビットは１に設定される。フレームモ
ードビットは００１１に設定され、パケットにあるデータがシグナリングトラヒ
ックであることを示す。２６１ビットのシグナリングトラヒック、１２ビットの
フレーム品質表示ビットおよび８ビットの末尾ビットがある。
【０１０２】
図１６Ｆには、ハーフレートの一次トラヒックのみの伝送に用いる７．２ｋｂ
ｐｓのフレームが示されている。１ビットの消去表示ビットを備える。混合モー
ドビットは０に設定される。１２４ビットの一次トラヒック、１０ビットのフレ
ーム品質表示ビットおよび８ビットの末尾ビットがある。
【０１０３】
図１７Ｇには、レート１／４の一次トラヒックとともにシグナリングトラヒッ
クの伝送に用いる７．２ｋｂｐｓのディムおよびバーストフレームが示されてい
る。１ビット消去表示ビットを備える。混合モードビットは１に設定される。３
ビットのフレームモードビットは０００に設定される。５４ビットの一次トラヒ
ック、６７ビットのシグナリングトラヒック、１０ビットのフレーム品質表示ビ
ットおよび８ビットの末尾ビットがある。
【０１０４】
図１７Ｈには、レート１／８の一次トラヒックとともにシグナリングトラヒッ
クの伝送に用いる７．２ｋｂｐｓのディムおよびバーストフレームが示されてい
る。１ビットの消去表示ビットを備える。混合モードビットは１に設定される。
【０１０５】
３ビットのフレームモードビットは００１に設定される。２０ビットの一次トラ
ヒック、１０１ビットのシグナリングトラヒック、１０ビットのフレーム品質表
示ビットおよび８ビットの末尾ビットがある。
【０１０６】
図１７Ｉには、シグナリングトラヒックの伝送に用いる７．２ｋｂｐｓのブラ
ンクおよびバーストフレームが示されている。１ビットの消去表示ビットを備え
る。混合モードビットは１に設定される。３ビットのフレームモードビットは０
１０に設定される。１２１ビットのシグナリングトラヒック、１０ビットのフレ
ーム品質表示ビットおよび８ビットの末尾ビットがある。
【０１０７】
図１７Ｊには、レート１／４の一次トラヒックのみの伝送に用いる３．６ｋｂ
ｐｓのフレームが示されている。１ビットの消去表示ビットを備える。混合モー
ドビットは０に設定される。フレームモードビットは存在しない。５４ビットの
一次トラヒック、８ビットのフレーム品質表示ビットおよび８ビットの末尾ビッ
トがある。
【０１０８】
図１７Ｋには、レート１／８の一次トラヒックとともにシグナリングトラヒッ
クの伝送に用いる３．６ｋｂｐｓのディムおよびバーストフレームが示されてい
る。１ビットの消去表示ビットを備える。混合モードビットは１に設定される。
【０１０９】
２ビットのフレームモードビットは００に設定される。２０ビットの一次トラヒ
ック、３２ビットのシグナリングトラヒック、８ビットのフレーム品質表示ビッ
トおよび８ビットの末尾ビットがある。
【０１１０】
図１７Ｌには、シグナリングトラヒックの伝送に用いる３．６ｋｂｐｓのブラ
ンクおよびバーストフレームが示されている。１ビットの消去表示ビットを備え
る。混合モードビットは１に設定される。２ビットのフレームモードビットは０
１に設定される。５２ビットのシグナリングトラヒック、８ビットのフレーム品
質表示ビットおよび８ビットの末尾ビットがある。
【０１１１】
図１８Ｍには、レート１／８の一次トラヒックのみの伝送に用いる１．８ｋｂ
ｐｓのフレームが示されている。１ビットの消去表示ビットを備える。混合モー
ドビットは０に設定される。フレームモードビットは存在しない。２０ビットの
一次トラヒック、６ビットのフレーム品質表示ビットおよび８ビットの末尾ビッ
トがある。
【０１１２】
図１８Ｎには、ハーフレートの一次トラヒックおよび二次トラヒックの伝送に
用いる１４．４ｋｂｐｓディムおよびバーストフレームが示されている。消去表
示ビットは予備ビットを備える。混合モードビットは１に設定される。フレーム
モードビットは０１００に設定され、パケットにあるデータがハーフレートの一
次トラヒックおよびシグナリングトラヒックであることを示す。１２４ビットの
一次トラヒック、１３７ビットの二次トラヒック、１２ビットのフレーム品質表
示ビットおよび８ビットの末尾ビットがある。
【０１１３】
図１８Ｏには、レート１／４の一次トラヒックおよび二次トラヒックの伝送に
用いる１４．４ｋｂｐｓのディムおよびバーストフレームが示されている。消去
表示ビットは予備ビットを備える。混合モードビットは１に設定される。４ビッ
トのフレームモードビットは０１０１に設定され、パケットにあるデータがレー
ト１／４の一次トラヒックおよび二次トラヒックであることを示す。５４ビット
の一次トラヒック、２０７ビットの二次トラヒック、１２ビットのフレーム品質
表示ビットおよび８ビットの末尾ビットがある。
【０１１４】
図１８Ｐには、レート１／８の一次トラヒックおよび二次トラヒックからなる
フレームの伝送に用いる１４．４ｋｂｐｓのディムおよびバーストフレームが示
されている。消去表示ビットは予備ビットを備える。混合モードビットは１に設
定される。フレームモードビットは０１１０に設定され、パケットにあるデータ
がレート１／８の一次トラヒックおよび二次トラヒックであることを示す。２０
ビットの一次トラヒック、２４１ビットの二次トラヒック、１２ビットのフレー
ム品質表示ビットおよび８ビットの末尾ビットがある。
【０１１５】
図１８Ｑには、二次トラヒックの伝送に用いる１４．４ｋｂｐｓのブランクお
よびバーストフレームが示されている。消去表示ビットは予備ビットを備える。
【０１１６】
混合モードビットは１に設定される。４ビットのフレームモードビットは０１１
１に設定される。２６１ビットの二次トラヒック、１２ビットのフレーム品質表
示ビットおよび８ビットの末尾ビットがある。
【０１１７】
図１８Ｒは、レート１／８の一次データ、二次トラヒックおよびシグナリング
トラヒックの伝送に用いる１４．４ｋｂｐｓのディムおよびバーストフレームを
示す。消去表示ビットは予備ビットを備える。混合モードビットは１に設定され
る。フレームモードビットは１０００に設定され、パケットにあるデータがレー
ト１／８の一次データ、二次トラヒックおよびシグナリングトラヒックであるこ
とを示す。２０ビットの一次トラヒック、２２１ビットのシグナリングトラヒッ
ク、２０ビットの二次トラヒック、１２ビットのフレーム品質表示ビットおよび
８ビットの末尾ビットがある。
【０１１８】
図１９Ｓは、レート１／４の一次トラヒックおよび二次トラヒックを備える７
．２ｋｂｐｓのディムおよびバーストフレームを示す。１ビットの消去表示ビッ
トを備える。混合モードビットは１に設定される。フレームモードビット０１１
に設定される。５４ビットの一次トラヒック、６７ビットの二次トラヒック、１
２ビットのフレーム品質表示ビットおよび８ビットの末尾ビットがある。
【０１１９】
図１９Ｔは、レート１／８の一次トラヒックおよび二次トラヒックを備える７
．２ｋｂｐｓのディムおよびバーストフレームを示す。１ビットの消去表示ビッ
トを備える。混合モードビットは１に設定される。フレームモードビットは１０
０に設定される。２０ビットの一次トラヒック、１０１ビットの二次トラヒック
、１０ビットのフレーム品質表示ビットおよび８ビットの末尾ビットがある。
【０１２０】
図１９Ｕは、二次トラヒックを備える７．２ｋｂｐｓのブランクおよびバース
トフレームを示す。１ビットの消去表示ビットを備える。混合モードビットは１
に設定される。フレームモードビットは１０１に設定される。１２１ビットの二
次トラヒック、１０ビットのフレーム品質表示ビットおよび８ビットの末尾ビッ
トがある。
【０１２１】
図１９Ｖは、レート１／８の一次トラヒック、二次トラヒックおよびシグナリ
ングトラヒックを備える７．２ｋｂｐｓのディムおよびバーストフレームを示す
。１ビットの消去表示ビットを備える。混合モードビットは１に設定される。フ
レームモードビットは１１０に設定される。２０ビットの一次トラヒック、８１
ビットのシグナリングトラヒック、２０ビットの二次トラヒック、１０ビットの
フレーム品質表示ビットおよび８ビットの末尾ビットがある。
【０１２２】
図１９Ｗは、レート１／８の一次トラヒックおよび二次トラヒックを備える３
．６ｋｂｐｓのディムおよびバーストフレームを示す。１ビットの消去表示ビッ
トを備える。混合モードビットは１に設定される。フレームモードビットは１０
に設定される。２０ビットの一次トラヒック、３２ビットの二次トラヒック、８
ビットのフレーム品質表示ビットおよび８ビットの末尾ビットがある。
【０１２３】
図１９Ｘは、二次トラヒックのみを備える３．６ｋｂｐｓのブランクおよびバ
ーストフレームを示す。１ビットの消去表示ビットを備える。混合モードビット
は１に設定される。フレームモードビットは１１に設定される。５２ビットの二
次トラヒック、８ビットのフレーム品質表示ビットおよび８ビットの末尾ビット
がある。
【０１２４】
図１９Ｙは、二次トラヒックのみを備える１．８ｋｂｐｓのブランクおよびバ
ーストフレームを示す。１ビットの消去表示ビットを備える。混合モードビット
は１に設定される。２０ビットの二次トラヒック、６ビットのフレーム品質表示
ビットおよび８ビットの末尾ビットがある。
【０１２５】
好適な実施の形態の説明は、当業者が本発明を製造したり使用できるようにな
されている。これらの実施の形態に対する様々な変形は当業者には自明であり，
本明細書記載の包括的な原理は発明能力を用いることなく他の実施の形態に適用
される。このため、本発明は以上に示される実施の形態に限定されないが、ここ
に開示された原理および新規な特徴に一貫するもっとも広範な範囲にある。
【図面の簡単な説明】
【０１２６】
【図１】トランシーバの送信部に用いられる実施の形態の一例を示すブロック図である。
【図２】レート設定１の様々なデータレート、タイプおよびモードに用いられるフレームデータフォーマットを示す連続図である。
【図３】図1 のＣＲＣおよび末尾ビット生成器の回路実行の一例を示す図である。
【図４】データフレームをフォーマットするフローチャートである。
【図５】データフレームをフォーマットするフローチャートである。
【図６】データフレームをフォーマットするフローチャートである。
【図７】一連のチャートで、９．６、４．８、２．４および１．２ｋｂｐｓの伝送データレートの場合のインタリーバアレイにおけるコード記号の順番を示す。
【図８】一連のチャートで、９．６、４．８、２．４および１．２ｋｂｐｓの伝送データレートの場合のインタリーバアレイにおけるコード記号の順番を示す。
【図９】一連のチャートで、９．６、４．８、２．４および１．２ｋｂｐｓの伝送データレートの場合のインタリーバアレイにおけるコード記号の順番を示す。
【図１０】一連のチャートで、９．６、４．８、２．４および１．２ｋｂｐｓの伝送データレートの場合のインタリーバアレイにおけるコード記号の順番を示す。
【図１１】各エンコーダ記号群に対応するウォルシュ（Ｗａｌｓｈ）記号を示すチャートである。
【図１２】各エンコーダ記号群に対応するウォルシュ（Ｗａｌｓｈ）記号を示すチャートである。
【図１３】各エンコーダ記号群に対応するウォルシュ（Ｗａｌｓｈ）記号を示すチャートである。
【図１４】図１の長コード生成器を示すブロック図である。
【図１５】様々なチャネルタイプに用いられる長コードマスクを示す連続図である。
【図１６】レート設定２の様々なデータレート、タイプおよびモードに用いられるフレームデータを示す連続図である。
【図１７】レート設定２の様々なデータレート、タイプおよびモードに用いられるフレームデータを示す連続図である。
【図１８】レート設定２の様々なデータレート、タイプおよびモードに用いられるフレームデータを示す連続図である。
【図１９】レート設定２の様々なデータレート、タイプおよびモードに用いられるフレームデータを示す連続図である。
【符号の説明】
【０１２７】
１２…マイクロホン，１９…消去表示素子，２１…スイッチ，５８…アンテナ
【図１】
2004328784.tif 000005
【図２】
2004328784.tif 000006
【図３】
2004328784.tif 000007
【図４】
2004328784.tif 000008
【図５】
2004328784.tif 000009
【図６】
2004328784.tif 000010
【図７】
2004328784.tif 000011
【図８】
2004328784.tif 000012
【図９】
2004328784.tif 000013
【図１０】
2004328784.tif 000014
【図１１】
2004328784.tif 000015
【図１２】
2004328784.tif 000016
【図１３】
2004328784.tif 000017
【図１４】
2004328784.tif 000018
【図１５】
2004328784.tif 000019
【図１６】
2004328784.tif 000020
【図１７】
2004328784.tif 000021
【図１８】
2004328784.tif 000022
【図１９】
2004328784.tif 000023
【手続補正書】
【提出日】平成16年6月11日(2004.6.11)
【手続補正１】
【補正対象書類名】特許請求の範囲
【補正対象項目名】全文
【補正方法】変更
【補正の内容】
【特許請求の範囲】
【請求項１】
通信システムにおいて、複数のデータレート設定の各々の内に含まれる各々の所定のデータレートでデータフレームを伝送する方法であって、
前記第１のデータフレームを受信し、第1の所定のデータレート設定内に含まれる1つのデータレートで伝送する、
前記第1のデータフレームのフレームレートに対応する所定のフォーマットにしたがって前記第１のデータフレームをフォーマットすることによってフォーマットされたデータフレームを生成する、
前記フォーマットされたデータフレームを符号化する、及び
前記符号化・フォーマットされたデータフレームを伝送する、
のステップを具備する、データフレームを伝送する方法。
【請求項２】
前記フォーマットされたデータフレームは、前記第1のデータフレームの前記フレームレートにしたがって生成された１組のパリティチェックビットおよび末尾ビットを含む
請求項１に記載の方法。
【請求項３】
第2のデータフレームを受信し、第2の所定のデータレート設定内に含まれるデータレートで伝送する；
前記第2のデータフレームのフレームレートに対応する所定のフォーマットにしたがって前記第2のデータフレームにより第2のフォーマットされたデータフレームを形成する；
前記第2のフォーマットされたデータフレームを符号化する；及び
前記符号化された第2のフォーマットされたデータフレームを伝送する、
をさらに具備する請求項１に記載の方法。
【請求項４】
第２の所定のデータレート設定に含まれる選択されたデータレートで第２のデータフレームを伝送する段階を具備し、
前記第１の所定のデータレート設定と前記第２の所定のデータレート設定に対応するデータレート間に乗法係数がある、請求項３に記載の方法。
【請求項５】
前記第１の所定のデータレート設定および前記第２の所定のデータレート設定に関連する符号化レートは、前記乗法係数に反比例する符号化係数によって関係づけられる、請求項４に記載の方法。
【請求項６】
通信システムにおいて、伝送方法であって、
第１のタイプのトラヒックチャネルデータを含む第１のデータフレームを
供給する；
所定のフォーマットのフォーマットされたデータフレームを生成する段階
であって、前記フォーマットされたデータフレームは、消去表示ビットと、混合
モードビットと、１つ以上のフレームモードビットと、前記第１のタイプのトラ
ヒックチャネルデータの複数のビットと、１つ以上のフレーム品質表示ビットと
、１つ以上の末尾ビットとを順に含む、フォーマットされたデータフレームを生
成する；
前記フォーマットされたデータフレームを符号化する；及び
前記符号化・フォーマットされたデータフレームを伝送する；
を具備する伝送方法において、
さらに、第2のタイプのトラヒックチャネルデータを含む第2のデータフレームを供するステップを具備し、
前記フォーマットされたデータフレームは、さらに前記第１のタイプの前記トラヒックチャネルデータの複数のビットと、前記１つ以上のフレーム品質表示ビットとの間に前記第２のタイプのトラヒックチャネルデータの複数のビットを含む、伝送方法。
【請求項７】
さらに、第3のタイプのトラヒックチャネルデータを含む第三のデータフレームを供するステップを具備し、
前記フォーマットされたデータフレームは、さらに、前記第2のタイプの前記トラヒックチャネルデータの複数のビットと、1つ以上のフレーム品質表示ビットとの間に前記第三のタイプのトラヒックチャネルデータの複数のビットを含む、請求項６に記載の方法。